(57)【要約】  本発明は、移動通信端末機においてチャネルを表現する方法に関し、さらに詳細には、独立なチャネルで構成されたコンテンツ情報をマルチディスプレイすることができる移動通信端末機に関する。本発明に係る独立なチャネルで構成されたコンテンツ情報をマルチディスプレイすることができる移動通信端末機は、ユーザがコンテンツ情報を閲覧又は確認するために、命令を入力する入力部と、サービスサーバから通信網を介してチャネルに該当するコンテンツ情報を送受信する通信部と、前記サービスサーバから提供されるコンテンツ情報又は移動通信端末機内に格納されたコンテンツ情報をウィンドウ画面として表示する表示部と、前記コンテンツ情報を格納し、前記コンテンツ情報を独立なチャネルで構成するようにするコンテンツ情報画面構成プログラムが格納される格納部と、既格納のコンテンツ情報を対応する最近のコンテンツ情報に更新し、ユーザの入力に応じて要請された画面を構成し、リソースを割り当てて前記複数のコンテンツ情報が一つの表示画面にマルチディスプレイされるように制御する制御部と、を含む。
2008530624.tif 000002
【特許請求の範囲】
【請求項１】
ユーザがコンテンツ情報を閲覧又は確認するために、命令を入力する入力部と、
サービスサーバから通信網を介してチャネルに該当するコンテンツ情報を送受信する通信部と、
前記サービスサーバから提供されるコンテンツ情報又は移動通信端末機内に格納されたコンテンツ情報をウィンドウ画面として表示する表示部と、
前記コンテンツ情報を格納し、前記コンテンツ情報を独立なチャネルで構成するようにするコンテンツ情報画面構成プログラムが格納される格納部と、
既格納のコンテンツ情報を対応する最近のコンテンツ情報に更新し、ユーザの入力に応じて要請された画面を構成し、リソースを割り当てて前記複数のコンテンツ情報が一つの表示画面にマルチディスプレイされるように制御する制御部と、
を含む、独立なチャネルで構成されたコンテンツ情報をマルチディスプレイすることができる移動通信端末機。
【請求項２】
前記コンテンツ情報は、リアルタイムコンテンツ情報である、請求項１に記載の独立なチャネルで構成されたコンテンツ情報をマルチディスプレイすることができる移動通信端末機。
【請求項３】
前記マルチディスプレイは、複数のコンテンツ情報がオーバーラップされてディスプレイされ、前記オーバーラップは、最小値を有する、請求項１に記載の独立なチャネルで構成されたコンテンツ情報をマルチディスプレイすることができる移動通信端末機。
【請求項４】
前記オーバーラップされてディスプレイされる複数のコンテンツ情報は、表示画面に表示される順序に応じてレベル値が設定され、レベル値が０の場合、表示画面の最も前にディスプレイされる、請求項３に記載の独立なチャネルで構成されたコンテンツ情報をマルチディスプレイすることができる移動通信端末機。
【請求項５】
前記レベル値は、ユーザにより選択できる、請求項４に記載の独立なチャネルで構成されたコンテンツ情報をマルチディスプレイすることができる移動通信端末機。
【請求項６】
前記表示部は、現在ディスプレイされたウィンドウの状態を確認することができるウィンドウ状態表示部をさらに含む、請求項１に記載の独立なチャネルで構成されたコンテンツ情報をマルチディスプレイすることができる移動通信端末機。
【請求項７】
前記コンテンツ情報に該当するウィンドウ画面は、スクロールが可能な、請求項１に記載の独立なチャネルで構成されたコンテンツ情報をマルチディスプレイすることができる移動通信端末機。
【請求項８】
前記コンテンツ情報に該当するウィンドウ画面は、拡大又は縮小が可能な、請求項１に記載の独立なチャネルで構成されたコンテンツ情報をマルチディスプレイすることができる移動通信端末機。
【請求項９】
前記コンテンツ情報に該当するウィンドウ画面は、パニングが可能な、請求項１に記載の独立なチャネルで構成されたコンテンツ情報をマルチディスプレイすることができる移動通信端末機。
【請求項１０】
（ａ）コンテンツ情報に該当するウィンドウ画面が表示されるようにユーザが選択するステップと、
（ｂ）前記コンテンツ情報に該当するウィンドウ画面のレベルを設定するステップと、
（ｃ）前記ウィンドウ画面が移動通信端末機に既にディスプレイされたウィンドウ画面と一致するウィンドウ画面があるか否かを検査するステップと、
（ｄ）前記検査結果に応じて、一致するウィンドウ画面がない場合、前記コンテンツ情報に該当するウィンドウ画面を生成するステップと、
（ｅ）ユーザの入力に応じて生成されたウィンドウ画面を、リソースを割り当てて複数のコンテンツ情報が一つの表示画面にマルチディスプレイされるステップと、
を含む、独立なチャネルで構成されたコンテンツ情報を移動通信端末機にマルチディスプレイする方法。
【請求項１１】
前記（ｂ）ステップのウィンドウ画面のレベルを設定するステップは、
（ｂ−１）前記移動通信端末機において、ウィンドウ画面のレベル変更を要請するステップと、
（ｂ−２）前記移動通信端末機において、ウィンドウ画面のレベル設定パラメーターを変更するステップと、
（ｂ−３）前記移動通信端末機において、ウィンドウ画面のレベルを変更するステップと、
をさらに含む、請求項１０に記載の独立なチャネルで構成されたコンテンツ情報を移動通信端末機にマルチディスプレイする方法。
【請求項１２】
前記（ｃ）ステップのウィンドウ画面があるか否かを検査するステップは、
（ｃ−１）前記移動通信端末機において既に表示されているウィンドウ画面の座標を検査するステップと、
（ｃ−２）前記（ｃ−１）ステップの検査結果に応じて、最高レベルを有するウィンドウ画面を検索するステップと、
（ｃ−３）前記最高レベルのウィンドウ画面と新規ウィンドウ画面とのレベルを検査するステップと、
（ｃ−４）前記（ｃ−３）ステップの検査結果に応じて、新規ウィンドウ画面の座標値を決定するステップと、
をさらに含む、請求項１０に記載の独立なチャネルで構成されたコンテンツ情報を移動通信端末機にマルチディスプレイする方法。
【請求項１３】
前記（ｄ）ステップのウィンドウ画面を生成するステップは、
（ｄ−１）活性化しようとするウィンドウ画面をユーザが選択するステップと、
（ｄ−２）ユーザが選択した活性ウィンドウの座標値と入力フォーカス値とを比較するステップと、
（ｄ−３）ユーザが選択したウィンドウが現在活性ウィンドウであるか否かを判断するステップと、
（ｄ−４）ユーザが選択したウィンドウを活性ウィンドウとして作用させるためのリソースを割り当てるステップと、
をさらに含む、請求項１０に記載の独立なチャネルで構成されたコンテンツ情報を移動通信端末機にマルチディスプレイする方法。
【請求項１４】
前記（ｄ）ステップのウィンドウ画面を生成するステップは、
（ｄ−１１）サービスサーバからコンテンツ情報を格納するチャネルに対する情報を受信するステップと、
（ｄ−１２）前記サービスサーバから受信されたチャネルに対する情報を分析して、受信しなければならないチャネルが存在しているか否かを判断するステップと、
（ｄ−１３）前記（ｄ−１２）ステップにおいて判断した結果、受信しなければならないチャネルが存在する場合、前記サービスサーバからチャネルを受信して構成し、前記構成したチャネルでコンテンツ情報を前記サービスサーバから受信するステップと、
（ｄ−１４）前記サービスサーバから受信されたチャネルをチャネル別にコンテンツ情報を整理して画面として表示するステップと、
をさらに含む、請求項１０に記載の独立なチャネルで構成されたコンテンツ情報を移動通信端末機にマルチディスプレイする方法。
【請求項１５】
前記（ｄ−１３）ステップ以後に、
（ｄ−２１）前記サービスサーバから受信しなければならないチャネルがさらに存在しているか否かを判断するステップと、
（ｄ−２２）受信しなければならないチャネルがもうこれ以上存在しない場合、サービスサーバとの接続を終了するステップと、
をさらに含む、請求項１４に記載の独立なチャネルで構成されたコンテンツ情報を移動通信端末機にマルチディスプレイする方法。
【請求項１６】
前記（ｄ−１３）ステップのチャネル構成は、
アイドルチャネルが存在する場合、前記アイドルチャネルを管理するためのエージェントが生成され、生成されたエージェントを利用して前記サービスサーバからアイドルチャネルでコンテンツ情報を受信することができるようにする、請求項１４に記載の独立なチャネルで構成されたコンテンツ情報を移動通信端末機にマルチディスプレイする方法。
【請求項１７】
（ａ）移動通信端末機において、新規ウィンドウ画面が導かれるようにユーザが選択するステップと、
（ｂ）前記新規ウィンドウ画面のレベルを設定するステップと、
（ｃ）前記移動通信端末機において、ウィンドウ画面があるか否かを検査するステップと、
（ｄ）前記検査結果に応じて、新規ウィンドウ画面を生成するステップと、
（ｅ）ユーザの入力に応じて生成されたウィンドウ画面を、リソースを割り当てて、複数のコンテンツ情報を一つの表示画面にマルチディスプレイするステップと、
を含む、独立なチャネルで構成されたコンテンツ情報を移動通信端末機にマルチディスプレイする方法をコンピュータで実行させるためのプログラムを記録したコンピュータで読み出すことができる記録媒体。
【発明の詳細な説明】
【技術分野】
【０００１】
本発明は、移動通信端末機においてチャネルを表現する方法に関し、さらに詳細には、独立なチャネルで構成されたコンテンツ情報をマルチディスプレイすることができる移動通信端末機に関する。
【背景技術】
【０００２】
本出願人は、「移動通信端末装置のための待機画面リソース制御及び運用装置、ならびに方法」で国際出願（ＰＣＴ／ＫＲ２００４／０００８９７）を出願したことがある。図１は、国際出願（ＰＣＴ／ＫＲ２００４／０００８９７）の「移動通信端末装置のための待機画面リソース制御及び運用装置、ならびに方法」の待機画面テンプレートの一実施形態によって具現された移動通信端末機の画面を示すものである。同図に示すように、複数のチャネルで構成された待機画面テンプレートを移動通信端末機の画面として構成する。すなわち、多様なテンプレートで複数のチャネル情報を移動通信端末機の画面として構成できるが、一般個人用コンピュータのように複数のウィンドウを自由自在に画面に表出することができず、各画面をスクロール、左右あるいは上下の移動（パニング）、又は画面の移動が不可能であった。また、使用しないチャネル資源を効率的に使用することができなかった。
【発明の開示】
【発明が解決しようとする課題】
【０００３】
上述の問題点を解決するための本発明の目的は、移動通信端末において多様なコンテンツを示すために、移動通信端末機の資源を効率的に分配することにある。
【０００４】
本発明の他の目的は、移動通信端末機において多様なコンテンツ画面の検索が容易となるように、移動通信端末機に機能を付与することにある。
【０００５】
本発明の目的は、以上で言及した目的に制限されず、言及されないさらに他の目的は、以下の記載から当業者にとって明確に理解され得るであろう。
【課題を解決するための手段】
【０００６】
上述の目的を達成すべく、本発明に係る独立なチャネルで構成されたコンテンツ情報をマルチディスプレイすることができる移動通信端末機は、ユーザがコンテンツ情報を閲覧又は確認するために、命令を入力する入力部と、サービスサーバから通信網を介してチャネルに該当するコンテンツ情報を送受信する通信部と、前記サービスサーバから提供されるコンテンツ情報又は移動通信端末機内に格納されたコンテンツ情報をウィンドウ画面として表示する表示部と、前記コンテンツ情報を格納し、前記コンテンツ情報を独立なチャネルで構成するようにするコンテンツ情報画面構成プログラムが格納される格納部と、既格納のコンテンツ情報を対応する最近のコンテンツ情報に更新し、ユーザの入力に応じて要請された画面を構成し、リソースを割り当てて前記複数のコンテンツ情報が一つの表示画面にマルチディスプレイされるように制御する制御部と、を含むことを特徴とする。
【０００７】
ここで、前記コンテンツ情報は、リアルタイムコンテンツ情報であることが好ましい。
【０００８】
ここで、前記マルチディスプレイは、複数のコンテンツ情報がオーバーラップされてディスプレイされ、前記オーバーラップは、最小値を有することが好ましい。
【０００９】
ここで、前記オーバーラップされてディスプレイされる複数のコンテンツ情報は、表示画面に表示される順序に応じてレベル値が設定され、レベル値が０の場合、表示画面の最も前にディスプレイされることが好ましい。
【００１０】
ここで、前記レベル値は、ユーザにより選択できることが好ましい。
【００１１】
ここで、前記表示部は、現在ディスプレイされたウィンドウの状態を確認することができるウィンドウ状態表示部をさらに含むことが好ましい。
【００１２】
ここで、前記コンテンツ情報に該当するウィンドウ画面は、スクロールが可能なことが好ましい。
【００１３】
ここで、前記コンテンツ情報に該当するウィンドウ画面は、拡大又は縮小が可能なことが好ましい。
【００１４】
ここで、前記コンテンツ情報に該当するウィンドウ画面は、パニング（ｐａｎｎｉｎｇ）が可能なことが好ましい。
【００１５】
また、本発明に係る独立なチャネルで構成されたコンテンツ情報を移動通信端末機にマルチディスプレイする方法は、（ａ）コンテンツ情報に該当するウィンドウ画面が表示されるようにユーザが選択するステップと、（ｂ）前記コンテンツ情報に該当するウィンドウ画面のレベルを設定するステップと、（ｃ）前記ウィンドウ画面が移動通信端末機に既にディスプレイされたウィンドウ画面と一致するウィンドウ画面があるか否かを検査するステップと、（ｄ）前記検査結果に応じて、一致するウィンドウ画面がない場合、前記コンテンツ情報に該当するウィンドウ画面を生成するステップと、（ｅ）ユーザの入力に応じて生成されたウィンドウ画面を、リソースを割り当てて複数のコンテンツ情報が一つの表示画面にマルチディスプレイされるステップと、を含むことを特徴とする。
【００１６】
ここで、前記（ｂ）ステップのウィンドウ画面のレベルを設定するステップは、（ｂ−１）前記移動通信端末機において、ウィンドウ画面のレベル変更を要請するステップと、（ｂ−２）前記移動通信端末機において、ウィンドウ画面のレベル設定パラメーターを変更するステップと、（ｂ−３）前記移動通信端末機において、ウィンドウ画面のレベルを変更するステップと、をさらに含むことが好ましい。
【００１７】
ここで、前記（ｃ）ステップのウィンドウ画面があるか否かを検査するステップは、（ｃ−１）前記移動通信端末機において既に表示されているウィンドウ画面の座標を検査するステップと、（ｃ−２）前記（ｃ−１）ステップの検査結果に応じて、最高レベルを有するウィンドウ画面を検索するステップと、（ｃ−３）前記最高レベルのウィンドウ画面と新規ウィンドウ画面とのレベルを検査するステップと、（ｃ−４）前記（ｃ−３）ステップの検査結果に応じて、新規ウィンドウ画面の座標値を決定するステップと、をさらに含むことが好ましい。
【００１８】
ここで、前記（ｄ）ステップのウィンドウ画面を生成するステップは、（ｄ−１）活性化しようとするウィンドウ画面をユーザが選択するステップと、（ｄ−２）ユーザが選択した活性ウィンドウの座標値と入力フォーカス値とを比較するステップと、（ｄ−３）ユーザが選択したウィンドウが現在活性ウィンドウであるか否かを判断するステップと、（ｄ−４）ユーザが選択したウィンドウを活性ウィンドウとして作用させるためのリソースを割り当てるステップと、をさらに含むことが好ましい。
【００１９】
ここで、前記（ｄ）ステップのウィンドウ画面を生成するステップは、（ｄ−１１）サービスサーバからコンテンツ情報を格納するチャネルに対する情報を受信するステップと、（ｄ−１２）前記サービスサーバから受信されたチャネルに対する情報を分析して、受信しなければならないチャネルが存在しているか否かを判断するステップと、（ｄ−１３）前記（ｄ−１２）ステップにおいて判断した結果、受信しなければならないチャネルが存在する場合、前記サービスサーバからチャネルを受信して構成し、前記構成したチャネルでコンテンツ情報を前記サービスサーバから受信するステップと、（ｄ−１４）前記サービスサーバから受信されたチャネルをチャネル別にコンテンツ情報を整理して画面として表示するステップと、をさらに含むことが好ましい。
【００２０】
ここで、前記（ｄ−１３）ステップ以後に、（ｄ−２１）前記サービスサーバから受信しなければならないチャネルがさらに存在しているか否かを判断するステップと、（ｄ−２２）受信しなければならないチャネルがもうこれ以上存在しない場合、サービスサーバとの接続を終了するステップと、をさらに含むことが好ましい。
【００２１】
ここで、前記（ｄ−１３）ステップのチャネル構成は、アイドルチャネルが存在する場合、前記アイドルチャネルを管理するためのエージェントが生成され、生成されたエージェントを利用して前記サービスサーバからアイドルチャネルでコンテンツ情報を受信することができるようにすることが好ましい。
【００２２】
また、本発明に係る独立なチャネルで構成されたコンテンツ情報を移動通信端末機にマルチディスプレイする方法をコンピュータで実行させるためのプログラムを記録したコンピュータで読み出すことができる記録媒体は、（ａ）移動通信端末機において、新規ウィンドウ画面が導かれるようにユーザが選択するステップと、（ｂ）前記新規ウィンドウ画面のレベルを設定するステップと、（ｃ）前記移動通信端末機において、ウィンドウ画面があるか否かを検査するステップと、（ｄ）前記検査結果に応じて、新規ウィンドウ画面を生成するステップと、（ｅ）ユーザの入力に応じて生成されたウィンドウ画面を、リソースを割り当てて、複数のコンテンツ情報を一つの表示画面にマルチディスプレイするステップと、を含むことを特徴とする。
【発明の効果】
【００２３】
本発明は、移動通信端末機において独立にチャネルを制御するようにエージェントを生成し、生成したエージェントによって独立なネットワーク経路を利用するチャネルを効率的に使用するように移動通信端末機の資源を分配するのにその効果がある。
【００２４】
また、本発明は、移動通信端末機においてパニング効果又はスクロール機能を付与して多様なコンテンツ画面を容易に検索するようにするのに効果がある。
【発明を実施するための最良の形態】
【００２５】
図２は、本発明に係る独立なチャネル情報を表示する移動通信端末機を示したブロック図である。同図に示すように、本発明に係る独立なチャネルを表示する移動通信端末機は、制御部２０１、通信部２０２、表示部２０３、入力部２０４及び格納部２０５を含む。
【００２６】
制御部２０１は、既格納のコンテンツ情報を対応する最近のコンテンツ情報に更新し、ユーザの入力によって要請された画面を構成し、リソース（Ｒｅｓｏｕｒｃｅ）を割り当てて複数のコンテンツ情報が一つの表示部２０３にマルチディスプレイされるように制御を担当する。ここで、コンテンツ情報は、リアルタイムで情報が変更されて更新される。すなわち、移動通信端末機においてリアルタイム情報更新と独立なチャネルを表示するように制御し、ユーザの入力による命令、サービスサーバの接続及び解除を制御し、ユーザの命令により要請された画面を構成して画面がディスプレイされるようにするか、又はリアルタイム情報をバッファに仮格納させる等の制御を担当する。
【００２７】
通信部２０２は、サービスサーバとネットワーク網を介して、各チャネルの情報を送受信するためのものである。表示部２０３は、受信されたリアルタイム情報及び更新情報をユーザが見ることができるように視角化してディスプレイするものであって、サービスサーバから提供されるコンテンツ情報又は移動通信端末機内に格納されたコンテンツ情報をウィンドウ画面として表示する。すなわち、多様なコンテンツ情報を複数のウィンドウ画面として構成して、表示部２０３に同時に表示され、現在浮いているウィンドウの状態を確認することができるウィンドウ状態表示部又は手段を提供して、ユーザにとって可読性を高めるようにする。
【００２８】
入力部２０４は、ユーザがコンテンツ情報を閲覧又は確認するために命令を入力し、リアルタイム情報の更新又は複数のコンテンツウィンドウのスクロール又はパニングを支援するために、キーボタン、ポインティング・デバイス又はアイコン形式の入力手段を提供する。
【００２９】
格納部２０５は、既存の情報と新規情報とを比較して、更新するか否かを判断し、リアルタイム情報を更新するためのプログラム及び情報を格納する。
【００３０】
すなわち、格納部に既格納の情報と対応するサーバから新しい情報があるか否かを判断し、新しい情報が存在する場合、既格納の情報を新しい情報に更新して格納部に格納するようになって、移動通信端末機の表示部２０３を介してマルチディスプレイされる。
【００３１】
図３は、本発明に係る移動通信端末機において、新規ウィンドウの生成時にウィンドウのレベルと座標とを検査して、知的に画面が構成されるようにする方法を示すフローチャートである。同図に示すように、移動通信端末機において知的画面配置方法は、新規ウィンドウの生成メニューを選択すれば（Ｓ３０１）、移動通信端末機において新規ウィンドウのレベルを初期化する（Ｓ３０２）。新規ウィンドウのレベルが初期化されれば、移動通信端末機において既に画面が構成されて表示されるウィンドウがあるか否かを検査する（Ｓ３０３）。ここで、既に表示されるウィンドウがあるならば、既に表示されているウィンドウの座標値を全て検査する（Ｓ３０４）。
【００３２】
検査されたウィンドウのうち、座標値が最も低いレベルのウィンドウを検索する（Ｓ３０５）。ここで、最も低いレベルの値は「０」で、最上位のウィンドウ画面の値を意味する。既に表示されているウィンドウのうち、最も低いレベルを有するウィンドウと新規生成しようとするウィンドウのレベルとを比較する（Ｓ３０６）。比較されたレベルを基に既に表示されているウィンドウが隠されないように、知的に画面に構成されるように新規ウィンドウの座標値を検索する（Ｓ３０７）。新規ウィンドウの座標値に適した新規ウィンドウを表示する（Ｓ３０８）。ここで、移動通信端末機において既に画面が構成されて表示されるウィンドウがあるか否かを検査するステップ（Ｓ３０３）において、既に構成されるウィンドウがないならば、直前に比較されたレベルに基づいて、既に表示されているウィンドウが隠されないように、知的に画面に構成されるように新規ウィンドウの座標値を検索するステップ（Ｓ３０７）に直接行うようになる。このように行うことにより、新規画面が表示される場合において、既に画面が表示されているウィンドウを最大限隠すことなく、知的に表示されることができる。
【００３３】
すなわち、移動通信端末機の多様なメニューのうち、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｉｎｇ  Ｓｙｓｔｅｍ）、日程管理、ＰＩＭＳ（Ｐｅｒｓｏｎａｌ  Ｉｎｆｏｒｍａｔｉｏｎ  Ｍａｎａｇｅｍｅｎｔ  Ｓｙｓｔｅｍ）、時計又は世界時計のような多様なコンテンツを画面に知的に移動通信端末機の表示部に示すことができる。ここで、移動通信端末機のウィンドウ活性化に応じるリソース割り当て方法は、図４において詳細に説明する。
【００３４】
図４は、本発明に係る移動通信端末機において、ウィンドウ活性化に応じるリソース割り当て方法を示したフローチャートである。同図に示すように、移動通信端末機において、ウィンドウ活性化に応じるリソース割り当て方法は、移動通信端末機において活性化しようとするウィンドウ画面を選択するために、移動通信端末機の入力装置を利用して選択すれば、移動通信端末機においてユーザが選択した入力フォーカスの座標値を検索する（Ｓ４０１）。移動通信端末機において、ユーザが選択した入力フォーカスの座標値と既に画面に表示されているウィンドウの座標値とを比較検査する（Ｓ４０２）。ここで、ユーザが選択した入力フォーカスの座標値が既に画面に表示されているウィンドウの範囲内にない場合は、ユーザ入力待機状態に回帰してユーザ入力待機状態に転換され、ユーザが選択した入力フォーカスの座標値が既に表示されているウィンドウの座標値内に入っている場合には、ユーザの入力フォーカス内にあるウィンドウの特性パラメーターのうち、画面の活性（ａｃｔｉｖｅ）又は非活性（ｉｎａｃｔｉｖｅ）パラメーター値を活性と設定する（Ｓ４０３）。仮に、ユーザが選択した入力フォーカスに該当するウィンドウを活性に変更した後、再度ウィンドウレベルを変更できるように、ウィンドウレベル変更を選択する（Ｓ４０４）。ここで、ユーザが選択した入力フォーカスの範囲に入った活性ウィンドウのレベルの設定値を変更する（Ｓ４０５）。ユーザが設定値を変更した後、移動通信端末機では、ウィンドウレベルを変更し（Ｓ４０６）、移動通信端末機で活性化されたウィンドウにリソース（ｒｅｓｏｕｒｃｅ）を分配する（Ｓ４０７）。ここで、リソースは、ネットワーク送信帯域幅、中央処理装置の占有率、記憶装置のような多様な移動通信端末機資源を指し呼ぶものである。すなわち、移動通信端末機において、ユーザが選択したウィンドウにリソースを割り当て、画面に表示されるレベルを調節して、移動通信端末機の表示部の最上端又はユーザが選択したレベルに合うように表示部に表示されるもので、ユーザが選択したウィンドウのうち、サービスサーバと接続してチャネルを割り当て、チャネルの情報を受信する方法については、図５で詳細に説明する。
【００３５】
図５は、本発明に係る移動通信端末機において、サービスサーバと接続して独立なチャネル情報を表示する方法を示したフローチャートである。同図に示すように、移動通信端末機において独立なチャネル情報を表示する方法は、移動通信端末機においてチャネル構成とチャネルの種類など接続しなければならないチャネルに対する情報を受信するためにサービスサーバに接続する（Ｓ５０１）。移動通信端末機においてサービスサーバに接続した後、サービスサーバからチャネルに対する情報を移動通信端末機が受信する（Ｓ５０２）。サービスサーバから受信されたチャネルに対する情報を移動通信端末機で分析して、受信すべきチャネルが存在するか否かを判断する（Ｓ５０３）。ここで、移動通信端末機においてサービスサーバから受信すべきチャネル情報が存在するならば、移動通信端末機は、受信するためのチャネルを構成し、構成したチャネルでチャネル情報を受信する（Ｓ５０４）。現チャネルからチャネル情報が全て抽出された場合、移動通信端末機においてサービスサーバで受信すべきチャネルがさらに存在するか否かを判断する（Ｓ５０５）。ここで、受信すべきチャネル情報がない場合、移動通信端末機においてサービスサーバとの接続を終了する（Ｓ５０６）。移動通信端末機において、サービスサーバから受信された各チャネル別チャネル情報を整理して画面に表示する（Ｓ５０７）。すなわち、移動通信端末機において、表示部に表示されるウィンドウのうち、サービスサーバに接続されてチャネル情報を受信し、チャネル情報を移動通信端末機の表示部に表示されるようにし、資源を割り当てるようになり、資源の割り当てに応じて新規チャネルでデータを受信し、新規チャネルでデータを受信するためのエージェントを生成し消滅する方法については、図６で詳細に説明する。
【００３６】
図６は、本発明に係る移動通信端末機において、サービスサーバと接続して独立なチャネル情報を生成する方法を示したフローチャートである。同図に示すように、移動通信端末機において独立なチャネル情報を生成する方法は、移動通信端末機において、アイドルチャネル（不使用チャネル）が存在しているか否かを判断する（Ｓ６０１）。ここで、アイドルチャネルが存在すると、移動通信端末機においてアイドルチャネルを管理するためのエージェントが生成される（Ｓ６０２）。移動通信端末機において生成されたエージェントをアクター（ａｃｔｏｒ）として利用して、サービスサーバからチャネルに送信されたコンテンツ情報を受信する（Ｓ６０３ａ）。コンテンツ情報の受信を完了すると、移動通信端末機においてチャネルに対するエージェントを消滅させる（Ｓ６０４）。仮に、アイドルチャネルがないと、移動通信端末機において既存チャネルを利用して、サービスサーバからコンテンツ情報を受信する（Ｓ６０３ｂ）。すなわち、移動通信端末機において既存接続したチャネルからコンテンツ情報を受信することができるが、アイドルチャネルが存在する場合、アイドルチャネルを管理するエージェントを移動通信端末機から生成して、独立にアイドルチャネルを利用してサービスサーバからコンテンツ情報を受信するようになる。結局、アイドルチャネルが多く存在する場合、それだけ受信性能も向上し、かつ、多様なコンテンツ情報を送信され続けるようになる。移動通信端末機において生成されるエージェントのライフサイクルは、チャネルに応じて送信されるコンテンツ情報の生成と消滅によって決定される。結局、移動通信端末機の表示部に多様なコンテンツを表示するようになり、表示するコンテンツの種類に応じてサービスサーバに接続されてチャネルを構成し、チャネルに応じる情報を受信するようになって、移動通信端末機の表示部に知的にウィンドウを表示するようになる。
【００３７】
ここで、本発明に係る方法として具現された一実施形態は、図７に示される。図７は、本発明の一実施形態に係る移動通信端末機において独立にチャネルが構成されて画面をなし、スクロールが可能な移動通信端末機の画面を示すものである。同図に示すように、移動通信端末機において複数のチャネルで受信されるコンテンツ情報を多様な方法で位置させ、移動通信端末機では、仮想の画面を介して多様なコンテンツウィンドウを検索してスクロールする。また、それぞれ表示されるウィンドウにもスクロールが構成されて、大きな画面を有するウィンドウをスクロールできるようになる。結局、移動通信端末機において音声及びデータ通信のためのチャネルは、ａｃｔｉｖｅ、ｃｏｎｔｒｏｌ／ｈｏｌｄ、ｓｕｓｐｅｎｄｅｄ及びｄｏｒｍａｎｔ  ｍｏｄｅの多様な状態を有するようになるが、ｄｏｒｍａｎｔ  ｍｏｄｅを除くと、すべてのモードは、既に移動通信端末機においてチャネルを占有して、使用又は制御／待機のような状態で残る。こういうモードのうち、ｄｏｒｍａｎｔ  ｍｏｄｅを利用してアイドルチャネルを検査し、アイドルチャネルを活性化又は占有して、多様なコンテンツ情報をサービスサーバから受信するようにして、移動通信端末機の有用性を増加させようとするものである。また、比較的小さな画面を有する移動通信端末機において、多様なコンテンツ情報を提供するために、仮想画面又は仮想領域を構成することによりパニング効果（ｐａｎｎｉｎｇ  ｅｆｆｅｃｔ）を実現して、仮想画面を検索できるようにスクロール機能を付与する。また、図示していないが、画面の拡大又は縮小機能を付加することにより、複数のコンテンツを容易に確認することができる。
【００３８】
以上、例示的な実施形態を例に挙げて本発明を説明したが、本発明は、上述の実施例に限定されず、特許請求の範囲により権利範囲が決定されるべきである
【図面の簡単な説明】
【００３９】
【図１】国際出願（ＰＣＴ／ＫＲ２００４／０００８９７）の「移動通信端末装置のための待機画面リソース制御及び運用装置、ならびに方法」の待機画面テンプレートの一実施形態によって具現された移動通信端末機の画面を示すものである。
【図２】本発明に係る独立なチャネル情報を表示する移動通信端末機を示したブロック図である。
【図３】本発明に係る移動通信端末機において新規ウィンドウの生成時にウィンドウのレベルと座標を検査して、知的に画面が構成されるようにする方法を示すフローチャートである。
【図４】本発明に係る移動通信端末機において、ウィンドウ活性化に応じるリソース割り当て方法を示したフローチャートである。
【図５】本発明に係る移動通信端末機において、サービスサーバと接続して独立なチャネル情報を表示する方法を示したフローチャートである。
【図６】本発明に係る移動通信端末機において、サービスサーバと接続して独立なチャネル情報を生成する方法を示したフローチャートである。
【図７】本発明の一実施形態に係る移動通信端末機において、独立にチャネルが構成されて画面をなし、スクロールが可能な移動通信端末機の画面を示すものである。
【図１】
2008530624.tif 000003
【図２】
2008530624.tif 000004
【図３】
2008530624.tif 000005
【図４】
2008530624.tif 000006
【図５】
2008530624.tif 000007
【図６】
2008530624.tif 000008
【図７】
2008530624.tif 000009
【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
ユーザがコンテンツ情報を閲覧又は確認するために、命令を入力する入力部と、
サービスサーバから通信網を介してチャネルに該当するコンテンツ情報を送受信する通信部と、
前記サービスサーバから提供されるコンテンツ情報又は移動通信端末機内に格納されたコンテンツ情報をウィンドウ画面として表示する表示部と、
前記コンテンツ情報を格納し、前記コンテンツ情報を独立なチャネルで構成するようにするコンテンツ情報画面構成プログラムが格納される格納部と、
既格納のコンテンツ情報を対応する最近のコンテンツ情報に更新し、ユーザの入力に応じて要請された画面を構成し、リソースを割り当てて前記複数のコンテンツ情報が一つの表示画面にマルチディスプレイされるように制御する制御部と、
を含む、独立なチャネルで構成されたコンテンツ情報をマルチディスプレイすることができる移動通信端末機。
【請求項２】
前記コンテンツ情報は、リアルタイムコンテンツ情報である、請求項１に記載の独立なチャネルで構成されたコンテンツ情報をマルチディスプレイすることができる移動通信端末機。
【請求項３】
前記マルチディスプレイは、複数のコンテンツ情報がオーバーラップされてディスプレイされ、前記オーバーラップは、所定の値を有する、請求項１に記載の独立なチャネルで構成されたコンテンツ情報をマルチディスプレイすることができる移動通信端末機。
【請求項４】
前記オーバーラップされてディスプレイされる複数のコンテンツ情報は、表示画面に表示される順序に応じてレベル値が設定され、レベル値が０の場合、表示画面の最も前にディスプレイされる、請求項３に記載の独立なチャネルで構成されたコンテンツ情報をマルチディスプレイすることができる移動通信端末機。
【請求項５】
前記レベル値は、ユーザにより選択できる、請求項４に記載の独立なチャネルで構成されたコンテンツ情報をマルチディスプレイすることができる移動通信端末機。
【請求項６】
前記表示部は、現在ディスプレイされたウィンドウの状態を確認することができるウィンドウ状態表示部をさらに含む、請求項１に記載の独立なチャネルで構成されたコンテンツ情報をマルチディスプレイすることができる移動通信端末機。
【請求項７】
前記コンテンツ情報に該当するウィンドウ画面は、スクロールが可能な、請求項１に記載の独立なチャネルで構成されたコンテンツ情報をマルチディスプレイすることができる移動通信端末機。
【請求項８】
前記コンテンツ情報に該当するウィンドウ画面は、拡大又は縮小が可能な、請求項１に記載の独立なチャネルで構成されたコンテンツ情報をマルチディスプレイすることができる移動通信端末機。
【請求項９】
前記コンテンツ情報に該当するウィンドウ画面は、パニングが可能な、請求項１に記載の独立なチャネルで構成されたコンテンツ情報をマルチディスプレイすることができる移動通信端末機。
【請求項１０】
（ａ）コンテンツ情報に該当するウィンドウ画面が表示されるようにユーザが選択するステップと、
（ｂ）前記コンテンツ情報に該当するウィンドウ画面のレベルを設定するステップと、
（ｃ）前記ウィンドウ画面が移動通信端末機に既にディスプレイされたウィンドウ画面と一致するウィンドウ画面があるか否かを検査するステップと、
（ｄ）前記検査結果に応じて、一致するウィンドウ画面がない場合、前記コンテンツ情報に該当するウィンドウ画面を生成するステップと、
（ｅ）ユーザの入力に応じて生成されたウィンドウ画面を、リソースを割り当てて複数のコンテンツ情報が一つの表示画面にマルチディスプレイされるステップと、
を含む、独立なチャネルで構成されたコンテンツ情報を移動通信端末機にマルチディスプレイする方法。
【請求項１１】
前記（ｂ）ステップのウィンドウ画面のレベルを設定するステップは、
（ｂ−１）前記移動通信端末機において、ウィンドウ画面のレベル変更を要請するステップと、
（ｂ−２）前記移動通信端末機において、ウィンドウ画面のレベル設定パラメーターを変更するスステップと、
（ｂ−３）前記移動通信端末機において、ウィンドウ画面のレベルを変更するステップと、
をさらに含む、請求項１０に記載の独立なチャネルで構成されたコンテンツ情報を移動通信端末機にマルチディスプレイする方法。
【請求項１２】
前記（ｃ）ステップのウィンドウ画面があるか否かを検査するステップは、
（ｃ−１）前記移動通信端末機において既に表示されているウィンドウ画面の座標を検査するステップと、
（ｃ−２）前記（ｃ−１）ステップの検査結果に応じて、最高レベルを有するウィンドウ画面を検索するステップと、
（ｃ−３）前記最高レベルのウィンドウ画面と新規ウィンドウ画面とのレベルを検査するステップと、
（ｃ−４）前記（ｃ−３）ステップの検査結果に応じて、新規ウィンドウ画面の座標値を決定するステップと、
をさらに含む、請求項１０に記載の独立なチャネルで構成されたコンテンツ情報を移動通信端末機にマルチディスプレイする方法。
【請求項１３】
前記（ｄ）ステップのウィンドウ画面を生成するステップは、
（ｄ−１）活性化しようとするウィンドウ画面をユーザが選択するステップと、
（ｄ−２）ユーザが選択した活性ウィンドウの座標値と入力フォーカス値とを比較するステップと、
（ｄ−３）ユーザが選択したウィンドウが現在活性ウィンドウであるか否かを判断するステップと、
（ｄ−４）ユーザが選択したウィンドウを活性ウィンドウとして作用させるためのリソースを割り当てるステップと、
をさらに含む、請求項１０に記載の独立なチャネルで構成されたコンテンツ情報を移動通信端末機にマルチディスプレイする方法。
【請求項１４】
前記（ｄ）ステップのウィンドウ画面を生成するステップは、
（ｄ−１１）サービスサーバからコンテンツ情報を格納するチャネルに対する情報を受信するステップと、
（ｄ−１２）前記サービスサーバから受信されたチャネルに対する情報を分析して、受信しなければならないチャネルが存在しているか否かを判断するステップと、
（ｄ−１３）前記（ｄ−１２）ステップにおいて判断した結果、受信しなければならないチャネルが存在する場合、前記サービスサーバからチャネルを受信して構成し、前記構成したチャネルでコンテンツ情報を前記サービスサーバから受信するステップと、
（ｄ−１４）前記サービスサーバから受信されたチャネルをチャネル別にコンテンツ情報を整理して画面として表示するステップと、
をさらに含む、請求項１０に記載の独立なチャネルで構成されたコンテンツ情報を移動通信端末機にマルチディスプレイする方法。
【請求項１５】
前記（ｄ−１３）ステップ以後に、
（ｄ−２１）前記サービスサーバから受信しなければならないチャネルがさらに存在しているか否かを判断するステップと、
（ｄ−２２）受信しなければならないチャネルがもうこれ以上存在しない場合、サービスサーバとの接続を終了するステップと、
をさらに含む、請求項１４に記載の独立なチャネルで構成されたコンテンツ情報を移動通信端末機にマルチディスプレイする方法。
【請求項１６】
前記（ｄ−１３）ステップのチャネル構成は、
アイドルチャネルが存在する場合、前記アイドルチャネルを管理するためのエージェントが生成され、生成されたエージェントを利用して前記サービスサーバからアイドルチャネルでコンテンツ情報を受信することができるようにする、請求項１４に記載の独立なチャネルで構成されたコンテンツ情報を移動通信端末機にマルチディスプレイする方法。
【請求項１７】
（ａ）移動通信端末機において、新規ウィンドウ画面が導かれるようにユーザが選択するステップと、
（ｂ）前記新規ウィンドウ画面のレベルを設定するステップと、
（ｃ）前記移動通信端末機において、ウィンドウ画面があるか否かを検査するステップと、
（ｄ）前記検査結果に応じて、新規ウィンドウ画面を生成するステップと、
（ｅ）ユーザの入力に応じて生成されたウィンドウ画面を、リソースを割り当てて、複数のコンテンツ情報を一つの表示画面にマルチディスプレイするステップと、
を含む、独立なチャネルで構成されたコンテンツ情報を移動通信端末機にマルチディスプレイする方法をコンピュータで実行させるためのプログラムを記録したコンピュータで読み出すことができる記録媒体。
【国際調査報告】
2008530624.tif 000010
2008530624.tif 000011